(57)【特許請求の範囲】
【請求項１】
音声データを伝送する第１の伝送モードと前記音声データとは異なるデータを伝送する第２伝送モードとを選択的に使用可能であるとともに、発呼先を識別する識別情報および使用する伝送モードを表したモード情報とを含んだ発呼情報を発呼元の通信端末から受けたことに応じて前記識別情報で識別される発呼先との通信を前記モード情報で表された伝送モードで行うことが可能であるか否かを前記通信端末に対して通知する通信網に前記通信端末として接続される通信制御装置において、
伝送対象データを送信する必要が生じたことに応じて、前記第２の伝送モードを表したモード情報を含んだ前記発呼情報を前記通信網へと送出する送出手段と、
通信可能であることが前記送出手段により送出した前記発呼情報への応答として前記通信網から通知されたことに応じて、前記伝送対象データをそのまま前記第２の伝送モードを使用して送信するための第１の処理を行う第１の処理手段と、
通信不可能であることが前記送出手段により送出した前記発呼情報への応答として前記通信網から通知されたことに応じて、前記伝送対象データを前記第１の伝送モードで伝送可能な伝送データに変換した上で前記第１の伝送モードを使用して送信するための第２の処理を行う第２の処理手段とを具備したことを特徴とする通信制御装置。
【請求項２】
前記通信制御装置は、外部から与えられるアナログの伝送信号を前記伝送データに変換して前記前記通信網に送出するゲートウェイと、外部からの要求に応じて前記伝送対象データを前記伝送信号に変換して前記ゲートウェイに出力する機能を備えた通信端末装置と連携して前記通信網を介しての前記伝送対象データの伝送を行わせるものであり、
前記第２の処理手段は、前記伝送対象データを前記伝送信号に変換して前記ゲートウェイに出力するように前記通信端末装置に要求する処理を前記第２の処理として行うことを特徴とする請求項１に記載の通信制御装置。
【請求項３】
前記通信制御装置は、外部から与えられる前記伝送データを前記通信網へと送出するゲートウェイと連携して前記通信網を介しての前記伝送対象データの伝送を行わせるものであり、
かつ前記通信制御装置は、前記通信対象データを前記伝送データに変換する変換手段をさらに備え、
前記第２の処理手段は、前記前記伝送対象データを前記伝送データに変換するように前記変換手段を制御するとともに、前記変換手段による変換で得られた伝送データを前記ゲートウェイへと与える処理を前記第２の処理として行うことを特徴とする請求項１に記載の通信制御装置。
【請求項４】
前記通信制御装置は、外部から与えられる伝送信号を前記音声データに変換して前記前記通信網に送出するゲートウェイと連携して前記通信網を介しての前記伝送対象データの伝送を行わせるものであり、
かつ前記通信制御装置は、前記伝送対象データを前記伝送信号に変換する変換手段をさらに備え、
前記第２の処理手段は、前記伝送対象データを前記伝送信号に変換するように前記変換手段を制御するとともに、前記変換手段による変換で得られた前記伝送信号を前記ゲートウェイへと与える処理を前記第２の処理として行うことを特徴とする請求項１に記載の通信制御装置。
【請求項５】
前記通信網は、ＩＥＴＦ（internet engineering task force）によるＲＦＣ（request for comments）３２６１に準拠した次世代ネットワークであることを特徴とする請求項１乃至４のいずれか１項に記載の通信制御装置。
【請求項６】
前記第２の処理手段は、前記ＲＦＣ３２６１で規定された４８８（Not Acceptable Here）コマンドを前記通信網から受信したことに応じて前記第２の処理を行うことを特徴とする請求項５に記載の通信制御装置。
【発明の詳細な説明】
【技術分野】
【０００１】
ＮＧＮ（next generation network）のような音声通信とデータ通信との双方をサポートした通信網を介しての通信を制御する通信制御装置に関する。
【背景技術】
【０００２】
ＮＧＮでは、通信モードとしてオーディオモード、ビデオモードおよびアプリケーションモード等がそれぞれ規定されており、それらを適宜に選択して使用できる。これらの通信モードは、伝送対象とするデータの種類がそれぞれ異なる。
【０００３】
しかしながら、ＮＧＮに接続される通信端末はこれらの通信モードの全てに対応しているとは限らない。そして、発呼元の通信端末が選択したモードでの通信に発呼先の通信端末が対応できなかった場合には、発呼元の通信端末はその通信をエラーとして終了される。
【発明の概要】
【発明が解決しようとする課題】
【０００４】
以上のようにＮＧＮのような複数の通信モードを選択的に利用できる通信網を利用した通信では、発呼元において発呼先の能力に合わない通信モードを選択してしまった場合には、通信を完了することができなかった。
【０００５】
なお特許文献１には、ファクシミリ通信におけるＧ４モードとＧ３モードとを自動的に切り替える技術が開示されている。しかしながら、Ｇ４モードおよびＧ３モードはいずれも画像データを伝送するモードであって、ＮＧＮのような通信網における通信モードとは異なる。
【０００６】
このような事情から、当初に選択された通信モードでの通信に発呼先が対応できない場合であっても通信を完了できる可能性を高めることができるようにすることが求められていた。
【課題を解決するための手段】
【０００７】
一態様による通信制御装置は、音声データを伝送する第１の伝送モードと前記音声データとは異なるデータを伝送する第２伝送モードとを選択的に使用可能であるとともに、発呼先を識別する識別情報および使用する伝送モードを表したモード情報とを含んだ発呼情報を発呼元の通信端末から受けたことに応じて前記識別情報で識別される発呼先との通信を前記モード情報で表された伝送モードで行うことが可能であるか否かを前記通信端末に対して通知する通信網に前記通信端末として接続される通信制御装置において、伝送対象データを送信する必要が生じたことに応じて、前記第２の伝送モードを表したモード情報を含んだ前記発呼情報を前記通信網へと送出する送出手段と、通信可能であることが前記送出手段により送出した前記発呼情報への応答として前記通信網から通知されたことに応じて、前記伝送対象データをそのまま前記第２の伝送モードを使用して送信するための第１の処理を行う第１の処理手段と、通信不可能であることが前記送出手段により送出した前記発呼情報への応答として前記通信網から通知されたことに応じて、前記伝送対象データを前記音声データに変換した上で前記第１の伝送モードを使用して送信するための第２の処理を行う第２の処理手段とを備える。
【発明の効果】
【０００８】
当初に選択された通信モードでの通信に発呼先が対応できない場合であっても通信を完了できる可能性を高めることができる。
【図面の簡単な説明】
【０００９】
【図１】第１の実施形態に係る通信制御装置の構成とこの通信制御装置が含まれる通信システムの構成とを示すブロック図。
【図２】図１中の主制御部の処理のフローチャート。
【図３】アプリケーションモードでの発呼処理における通信制御装置とＮＧＮとのコマンドの授受に関わるシーケンス図。
【図４】アプリケーションモードでの発呼処理における通信制御装置とＮＧＮとのコマンドの授受に関わるシーケンス図。
【図５】オーディオモードでの発呼処理における通信制御装置とＮＧＮとのコマンドの授受に関わるシーケンス図。
【図６】Ｇ３ＦＡＸ送信処理における図１中の主制御部の処理のフローチャート。
【図７】第２の実施形態に係る通信制御装置の構成とこの通信制御装置が含まれる通信システムの構成とを示すブロック図。
【図８】Ｇ３ＦＡＸ送信処理における図７中の主制御部の処理のフローチャート。
【図９】第３の実施形態に係る通信制御装置の構成とこの通信制御装置が含まれる通信システムの構成とを示すブロック図。
【図１０】Ｇ３ＦＡＸ送信処理における図９中の主制御部の処理のフローチャート。
【発明を実施するための形態】
【００１０】
以下、図面を参照して実施形態について説明する。
【００１１】
（第１の実施形態）
図１は第１の実施形態に係る通信制御装置１の構成とこの通信制御装置１が含まれる通信システムの構成とを示すブロック図である。
【００１２】
図１に示す通信システムは、通信制御装置１、ゲートウェイ（Ｇ／Ｗ）２、インターネットファクシミリ装置（Ｉ−ＦＡＸ）３、コンピュータ４、ＬＡＮ５、ＮＧＮ６、ゲートウェイ７、通信制御装置８、インターネットファクシミリ装置９、コンピュータ１０、ＬＡＮ１１、ゲートウェイ１２、Ｇ３ファクシミリ装置（Ｇ３−ＦＡＸ）１３、アナログ網１４およびＧ３ファクシミリ装置１５を含む。
【００１３】
通信制御装置１には、ゲートウェイ２、インターネットファクシミリ装置３およびコンピュータ４が、ＬＡＮ５を介して接続されている。通信制御装置１は、インターネットファクシミリ装置３およびコンピュータ４がＮＧＮ６を介して通信するための処理を行う。
【００１４】
通信制御装置１は、ＬＡＮインタフェース部（ＬＡＮ  Ｉ／Ｆ部）１ａ、プロトコル処理部１ｂ、データ変換部１ｃ、記憶部１ｄおよび主制御部１ｅを含む。そしてこれらの各部は、バス１ｆを介して互いに接続されている。
【００１５】
ＬＡＮインタフェース部１ａは、ＬＡＮ５を介してゲートウェイ２、インターネットファクシミリ装置３およびコンピュータ４とデータを授受するための各種の周知の処理を行う。
【００１６】
プロトコル処理部１ｂは、ＮＧＮ６での通信のために規定されたプロトコルを実行するための処理を行う。なお、ここではＲＦＣ３２６１で規定されたプロトコルを使用することとする。従ってプロトコル処理部１ｂは、ＲＦＣ３２６１で規定された各種のコマンドを送受信する機能を備える。
【００１７】
データ変換部１ｃは、画像データのデータ形式を変換する。またデータ変換部１ｃは、画像データではないデータを画像データに変換する。
【００１８】
記憶部１ｄは、各種のデータを記憶する。
【００１９】
主制御部１ｅは、後述するように通信制御装置１の各部を制御する。
【００２０】
ゲートウェイ２は、ＬＡＮ５のほかに、ＮＧＮ６にも接続される。またゲートウェイ２には、アナログ網１４用のアナログ通信端末を接続するためのＴＥＬポートを備える。ゲートウェイ２は、ＬＡＮ５およびアナログ網１４とＮＧＮ６との間の各種の条件の違いを整合させるための種々の周知の処理を行い、ＬＡＮ５に接続された機器およびアナログ通信端末がＮＧＮ６を介して通信することを可能とする。
【００２１】
インターネットファクシミリ装置３は、コンピュータネットワークおよびアナログ網１４を介して画像通信を行う。コンピュータネットワーク経由でのデータの送受信のためのＬＡＮポートと公衆網経由での信号の送受信のためのＴＥＬポートとを有し、ＬＡＮポートがＬＡＮ５に、またＴＥＬポートがゲートウェイ２のＴＥＬポートに接続される。インターネットファクシミリ装置３は、ＬＡＮ５を介して取得したデータをアナログのファクシミリ伝送信号に変換してＴＥＬポートから送出する、いわゆるオフランプ機能を備える。
【００２２】
コンピュータ４は、例えばパーソナルコンピュータであり、各種のディジタルデータを送受信する端末装置として使用されるものである。コンピュータ４はＬＡＮインタフェース部を内蔵し、ＬＡＮ５に接続されている。
【００２３】
ＮＧＮ６としては、例えば東日本電信電話株式会社および西日本電信電話株式会社により「フレッツ光ネクスト」サービスが提供されている通信網が利用できる。このＮＧＮ６では、ＲＦＣ３２６１で規定されたプロトコルにより呼の設定が行われる。またＮＧＮ６では、オーディオモード、ビデオモードおよびアプリケーションモードを選択的に使用できる。オーディオモードは、音声通信を行うためのモードである。ビデオモードは、動画通信を行うためのモードである。アプリケーションモードは、任意のディジタルデータを高速に伝送するモードである。
【００２４】
ゲートウェイ７は、ＮＧＮ６およびＬＡＮ１１に接続される。ゲートウェイ７は、ＬＡＮ１１とＮＧＮ６との間の各種の条件の違いを整合させるための種々の周知の処理を行い、ＬＡＮ１１に接続された機器がＮＧＮ６を介して通信することを可能とする。
【００２５】
通信制御装置８は、ＬＡＮ１１に接続されている。通信制御装置８は、インターネットファクシミリ装置９およびコンピュータ１０がＮＧＮ６を介して通信するための処理を行う。通信制御装置８は、通信制御装置１と同様な構成を有する。
【００２６】
インターネットファクシミリ装置９は、ＬＡＮ１１に接続されている。インターネットファクシミリ装置９は、コンピュータネットワークを介して画像通信を行う。
【００２７】
コンピュータ１０は、例えばパーソナルコンピュータであり、各種のディジタルデータを送受信する端末装置として使用されるものである。コンピュータ４はＬＡＮインタフェース部を内蔵し、ＬＡＮ１１に接続されている。
【００２８】
ゲートウェイ１２は、ＮＧＮ６およびＧ３ファクシミリ装置１３に接続される。ゲートウェイ１２は、ＬＡＮ１１とアナログ網との間の各種の条件の違いを整合させるための種々の周知の処理を行い、Ｇ３ファクシミリ装置１３がＮＧＮ６を介して通信することを可能とする。
【００２９】
Ｇ３ファクシミリ装置１３は、Ｇ３規格に従った画像通信を行う。Ｇ３ファクシミリ装置１３は、ゲートウェイ１２に接続されている。
【００３０】
アナログ網１４は、例えばＰＳＴＮ（public switched telephone network）であり、音声帯域のアナログ信号を伝送する。アナログ網１４はＮＧＮ６と網間接続されている。
【００３１】
Ｇ３ファクシミリ装置１５は、Ｇ３規格に従った画像通信を行う。Ｇ３ファクシミリ装置１５は、アナログ網１４に接続されている。
【００３２】
次に通信制御装置１の動作について説明する。
【００３３】
コンピュータ４またはインターネットファクシミリ装置３が保持している伝送対象データをアプリケーションモードを使用してＮＧＮ６で伝送しようとするとき、その旨の要求がコンピュータ４またはインターネットファクシミリ装置３から通信制御装置１へ与えられる。そしてこの要求を受けると通信制御装置１では、主制御部１ｅが図２に示すような処理を開始する。
【００３４】
ステップＳａ１において主制御部１ｅは、アプリケーションモードでの発呼をプロトコル処理部１ｂに対して指示する。
【００３５】
この指示を受けるとプロトコル処理部１ｂは、ＲＦＣ３２６１で規定されたプロトコルに従った発呼処理を開始する。
【００３６】
図３はアプリケーションモードでの発呼処理における通信制御装置１とＮＧＮ６とのコマンドの授受に関わるシーケンス図である。なお、発呼処理においては、ＮＧＮ６と発呼先とのコマンドの授受も行われるが、これについては図３では図示を省略している。なお、プロトコル処理部１ｂとのコマンドの授受は、ＮＧＮ６に含まれたＳＩＰ（session initiation protocol）サーバとの間で行われる。そしてこのコマンドの授受は、バス１ｆ、ＬＡＮインタフェース部１ａ、ＬＡＮ５およびゲートウェイ２を介して行われる。
【００３７】
図３に示すようにプロトコル処理部１ｂはまず、発呼先の識別番号や「ｍ＝application」を示した情報を含んだINVITEコマンドをＮＧＮ６へと送出する。そうするとＮＧＮ６からは、１００（Tring）コマンドが返される。こののちに、発呼先の呼び出しがＮＧＮ６から行われるとともに、呼び出し中であることを示す１８０（Ringing）コマンドがＮＧＮ６からプロトコル処理部１ｂに送られる。
【００３８】
発呼先が例えばインターネットファクシミリ装置９またはコンピュータ１０であるならば、その通信を通信制御装置８が制御することによってアプリケーションモードを使用することが可能である。そこでこの場合には、２００（OK）コマンドがＮＧＮ６からプロトコル処理部１ｂに送られる。
【００３９】
プロトコル処理部１ｂは、２００（OK）コマンドを受信したことによって通信が成立したことを認識した上で、それに対する応答としてAckコマンドをＮＧＮ６に送る。
【００４０】
ところで、発呼先が例えばＧ３ファクシミリ装置１３，１５のいずれかである場合、アプリケーションモードを使用しての通信を行うことができない。そしてこの場合には図４に示すように、１００（Tring）コマンドの後に４８８（Not Acceptable Here）コマンドがＮＧＮ６からプロトコル処理部１ｂに送られる。そうするとプロトコル処理部１ｂは、通信が成立しないことを認識し、今回の発呼の取消を要求するためにCANCELコマンドをＮＧＮ６へと送る。これに応じてＮＧＮ６は、発呼処理を取り止めて、２００（OK）コマンドをプロトコル処理部１ｂへと送る。なお、４８８（Not Acceptable Here）コマンドはWarningコマンドのうちの１つである。通信が成立しない場合に、４８８（Not Acceptable Here）コマンド以外のWarningコマンドがＮＧＮ６から発呼元に送られることもある。プロトコル処理部１ｂは、いずれのWarningコマンドが到来した場合でも、上記と同様に処置する。
【００４１】
プロトコル処理部１ｂは、通信が成立したか否かを主制御部１ｅに通知する。
【００４２】
さて、ステップＳａ２において主制御部１ｅは、プロトコル処理部１ｂからの上記の通知を待ち、この通知に基づいて通信が成立したか否かを確認する。そして通信が成立した場合には、主制御部１ｅはステップＳａ２からステップＳａ３へ進む。
【００４３】
ステップＳａ３において主制御部１ｅは、伝送対象データをコンピュータ４またはインターネットファクシミリ装置３から取得し、そのままゲートウェイ２へと送り出す。ゲートウェイ２は、既に成立しているアプリケーションモードを使用したセッションを利用して、相手先に向けてＮＧＮ６へと伝送対象データを送信する。そして伝送対象データを送信し終えたならば主制御部１ｅは、図２の処理を終了する。
【００４４】
さて、図４に示すような手順が実行されて通信が成立しなかった場合には、主制御部１ｅはステップＳａ２からステップＳａ４へ進む。
【００４５】
ステップＳａ４において主制御部１ｅは、通信を成立させることができなかった発呼処理の中で、４８８（Not Acceptable Here）コマンドが受信されたか否かを確認する。そして４８８（Not Acceptable Here）コマンドが受信されていたならば、主制御部１ｅはステップＳａ４からステップＳａ５へ進む。
【００４６】
ステップＳａ５において主制御部１ｅは、伝送対象データが画像データであるか、あるいは画像データに変換することが可能なデータであるかを確認する。ここで画像データに変換することが可能なデータとは、例えばテキストデータなどである。あるいは、ユーザにより画像データへの変換が許容されている場合に画像データに変換することが可能なデータであると判定しても良い。そして、伝送対象データが画像データであるか、あるいは画像データに変換することが可能なデータであるならば、主制御部１ｅはステップＳａ５からステップＳａ６へ進む。
【００４７】
ステップＳａ６において主制御部１ｅは、オーディオモードでの発呼をプロトコル処理部１ｂに対して指示する。
【００４８】
この指示を受けるとプロトコル処理部１ｂは、ＲＦＣ３２６１で規定されたプロトコルに従った発呼処理を開始する。
【００４９】
図５はオーディオモードでの発呼処理における通信制御装置１とＮＧＮ６とのコマンドの授受に関わるシーケンス図である。
【００５０】
図５に示すようにプロトコル処理部１ｂはまず、発呼先の識別番号や「ｍ＝audio」を示した情報を含んだINVITEコマンドをＮＧＮ６へと送出する。そうするとＮＧＮ６からは、１００（Tring）コマンドが返される。こののちに、発呼先の呼び出しがＮＧＮ６から行われるとともに、呼び出し中であることを示す１８０（Ringing）コマンドがＮＧＮ６からプロトコル処理部１ｂに送られる。
【００５１】
発呼先が例えばファクシミリ装置１３，１５のいずれかであるならば、オーディオモードを使用した通信を行うことが可能である。そこでこの場合には、２００（OK）コマンドがＮＧＮ６からプロトコル処理部１ｂに送られる。
【００５２】
プロトコル処理部１ｂは、２００（OK）コマンドを受信したことによって通信が成立したことを認識した上で、それに対する応答としてAckコマンドをＮＧＮ６に送る。
【００５３】
さて、ステップＳａ７において主制御部１ｅは、プロトコル処理部１ｂからの通知を待ち、この通知に基づいて通信が成立したか否かを確認する。そして通信が成立した場合には、主制御部１ｅはステップＳａ７からステップＳａ８へ進む。
【００５４】
ステップＳａ８において主制御部１ｅは、伝送対象データをＧ３ファクシミリ通信を利用して送信するためのＧ３ＦＡＸ送信処理を実行する。
【００５５】
図６はＧ３ＦＡＸ送信処理における主制御部１ｅの処理のフローチャートである。
【００５６】
ステップＳｂ１において主制御部１ｅは、伝送対象データをコンピュータ４またはインターネットファクシミリ装置３から取得する。なお主制御部１ｅは、ここで取得した伝送対象データを、記憶部１ｄに一時的に記憶しておく。
【００５７】
ステップＳｂ２において主制御部１ｅは、伝送対象データがインターネットファクシミリ装置３が対応するデータ形式であるか否かを確認する。そして伝送対象データにインターネットファクシミリ装置３が対応可能ではないならば、主制御部１ｅはステップＳｂ２からステップＳｂ３へ進む。
【００５８】
ステップＳｂ３において主制御部１ｅは、伝送対象データが画像データであるか否かを確認する。そして主制御部１ｅは、画像データであるならばステップＳｂ４へ、また画像データではないならばステップＳｂ５へ進む。
【００５９】
ステップＳｂ４において主制御部１ｅは、伝送対象データのデータ形式をインターネットファクシミリ装置３が対応可能なデータ形式に変換するようにデータ変換部１ｃに指示する。この指示に応じてデータ変換部１ｃは、例えばＰＤＦ形式からＴＩＦＦ形式に変換するように伝送対象データを変換する。
【００６０】
ステップＳｂ５において主制御部１ｅは、伝送対象データをインターネットファクシミリ装置３が対応可能なデータ形式の画像データに変換するようにデータ変換部１ｃに指示する。この指示に応じてデータ変換部１ｃは、例えばテキストデータをＴＩＦＦ形式の画像データとするように伝送対象データを変換する。
【００６１】
伝送対象データがインターネットファクシミリ装置３が対応するデータ形式であった場合、伝送対象データのデータ形式の変換が完了した場合、あるいは伝送対象データの画像データへの変換が完了した場合に主制御部１ｅは、ステップＳｂ２、ステップＳｂ４およびステップＳｂ５のいずれかからステップＳｂ６へ進む。
【００６２】
ステップＳｂ６において主制御部１ｅは、伝送対象データをインターネットファクシミリ装置３へと送り、オフランプ送信するように指示する。なお、ここでインターネットファクシミリ装置３へと送る伝送対象データは、ステップＳｂ２からステップＳｂ６に移行した場合にはステップＳｂ１で取得した伝送対象データであり、ステップＳｂ４からステップＳｂ６に移行した場合にはデータ変換部１ｃによりデータ形式が変換されたのちの伝送対象データであり、ステップＳｂ５からステップＳｂ６に移行した場合にはデータ変換部１ｃによる変換で得られた画像データである。そして上記の要求に応じてインターネットファクシミリ装置３は、与えられた伝送対象データをアナログのファクシミリ伝送信号に変換し、これをゲートウェイ２へと送出する。ゲートウェイ２は、ＰＣＭ（pulse code modulation）などによりディジタル化するみなし音声方式か、あるいはＩＴＵ−Ｔ（International Telecommunication Union-Telecommunication sector）の勧告Ｔ．３８に準拠した方式を使用して、ファクシミリ伝送信号をファクシミリ伝送データに変換する。そしてゲートウェイ２は、既に成立しているオーディオモードを使用したセッションを利用して、相手先に向けてＮＧＮ６へとファクシミリ伝送データを送信する。
【００６３】
ところで、アプリケーションモードでの発呼処理の際に４８８（Not Acceptable Here）コマンドが受信されていなかった場合、伝送対象データが画像データでも、画像データに変換が可能なデータでもなかった場合、さらにはオーディオモードでの発呼処理でも通信が成立しなかった場合には、主制御部１ｅはステップＳａ４，５，７からステップＳａ９，１０，１１へそれぞれ進む。そしてステップＳａ９，１０，１１において主制御部１ｅは、それぞれの状況に応じたエラー処理を行った上で、伝送対象データの送信を断念して図２の処理を終了する。
【００６４】
以上のように通信制御装置１によれば、アプリケーションモードでの発呼処理に際してＮＧＮ６から４８８（Not Acceptable Here）コマンドが送られてきた場合には、オーディオモードでの発呼処理を自動的に試みる。そしてこれにより通信が成立したならば、Ｇ３ファクシミリ通信を利用してのデータ送信を試みる。従って、Ｇ３ファクシミリ装置１３，１５に対するデータ送信に際してアプリケーションモードが選択されてしまった場合には、Ｇ３ファクシミリ通信を利用したデータ送信が自動的に行われて、データ送信を完了することが可能である。
【００６５】
そして通信制御装置１では、Ｇ３ファクシミリ通信は、インターネットファクシミリ装置３のオフランプ送信機能を利用することで実現することも可能である。このため、通信制御装置１はＧ３ファクシミリ通信のための機能を有している必要がない。
【００６６】
（第２の実施形態）
図７は第２の実施形態に係る通信制御装置２１の構成とこの通信制御装置２１が含まれる通信システムの構成とを示すブロック図である。なお、図７において図１と同一部分については同一の符号を付し、その詳細な説明は省略する。
【００６７】
図７に示す通信システムは、ゲートウェイ２、インターネットファクシミリ装置３、コンピュータ４、ＬＡＮ５、ＮＧＮ６、ゲートウェイ７、通信制御装置８、インターネットファクシミリ装置９、コンピュータ１０、ＬＡＮ１１、ゲートウェイ１２、Ｇ３ファクシミリ装置１３、アナログ網１４、Ｇ３ファクシミリ装置１５および通信制御装置２１を含む。すなわち図７に示す通信システムは、図１に示した通信システムにおける通信制御装置１に代えて通信制御装置２１を備えたものとなっている。
【００６８】
通信制御装置２１には、ゲートウェイ２、インターネットファクシミリ装置３およびコンピュータ４が、ＬＡＮ５を介して接続されている。通信制御装置２１は、インターネットファクシミリ装置３およびコンピュータ４がＮＧＮ６を介して通信するための処理を行う。
【００６９】
通信制御装置２１は、ＬＡＮインタフェース部１ａ、プロトコル処理部１ｂ、記憶部１ｄ、データ変換部２１ａおよび主制御部２１ｂを含む。そしてこれらの各部は、バス１ｆを介して互いに接続されている。すなわち通信制御装置２１は、第１の実施形態の通信制御装置１におけるデータ変換部１ｃおよび主制御部１ｅに代えてデータ変換部２１ａおよび主制御部２１ｂを備えて構成される。
【００７０】
データ変換部２１ａは、画像データではないデータを画像データに変換する。またデータ変換部２１ａは、画像データをファクシミリ伝送データに変換する。
【００７１】
主制御部２１ｂは、後述するように通信制御装置２１の各部を制御する。
【００７２】
次に通信制御装置２１の動作について説明する。
【００７３】
コンピュータ４またはインターネットファクシミリ装置３が保持している伝送対象データをアプリケーションモードを使用してＮＧＮ６で伝送しようとするとき、その旨の要求がコンピュータ４またはインターネットファクシミリ装置３から通信制御装置２１へ与えられる。そしてこの要求を受けると通信制御装置２１では、主制御部２１ｂが図２に示す処理を第１の実施形態とほぼ同様に実施する。ただし主制御部２１ｂが実行する処理においては、ステップＳａ８におけるＧ３ＦＡＸ送信処理の内容が、第１の実施形態にて主制御部１ｅが実行する処理とは異なっている。
【００７４】
図８はＧ３ＦＡＸ送信処理における主制御部２１ｂの処理のフローチャートである。
【００７５】
ステップＳｃ１において主制御部２１ｂは、伝送対象データをコンピュータ４またはインターネットファクシミリ装置３から取得する。なお主制御部２１ｂは、ここで取得した伝送対象データを、記憶部１ｄに一時的に記憶しておく。
【００７６】
ステップＳｃ２において主制御部２１ｂは、伝送対象データが画像データであるか否かを確認する。そして主制御部２１ｂは、画像データではないならばステップＳｃ３へ進む。
【００７７】
ステップＳｃ３において主制御部２１ｂは、伝送対象データを画像データに変換するようにデータ変換部２１ａに指示する。この指示に応じてデータ変換部２１ａは、例えばテキストデータをＴＩＦＦ形式の画像データとするように伝送対象データを変換する。
【００７８】
伝送対象データが画像データであった場合、あるいは伝送対象データの画像データへの変換が完了した場合に主制御部２１ｂは、ステップＳｃ２およびステップＳｃ３のいずれかからステップＳｃ４へ進む。
【００７９】
ステップＳｃ４において主制御部２１ｂは、伝送対象データをファクシミリ伝送データに変換するようにデータ変換部２１ａに指示する。この指示に応じてデータ変換部２１ａは、伝送対象データをファクシミリ伝送データに変換する。なお、ファクシミリ伝送データは、伝送対象データ（画像データ）が表す画像の情報を含むとともにＧ３規格に準拠したアナログのファクシミリ伝送信号を、ＰＣＭなどによりディジタル化するみなし音声方式か、あるいはＩＴＵ−Ｔの勧告Ｔ．３８に準拠した方式を使用してディジタル化して得られるデータである。また、ここでファクシミリ伝送データへと変換する伝送対象データは、ステップＳｃ２からステップＳｃ４に移行した場合にはステップＳｂ１で取得した伝送対象データであり、ステップＳｃ３からステップＳｃ４に移行した場合にはデータ変換部１ｃによる変換で得られた画像データである。
【００８０】
ステップＳｃ５において主制御部２１ｂは、データ変換部２１ａによる上記の変換処理により得られたファクシミリ伝送データを、ＬＡＮ５を介してゲートウェイ２へと送る。そうするとゲートウェイ２は、既に成立しているオーディオモードを使用したセッションを利用して、相手先に向けてＮＧＮ６へとファクシミリ伝送データを送信する。
【００８１】
以上のように通信制御装置２１によれば、アプリケーションモードでの発呼処理に際してＮＧＮ６から４８８（Not Acceptable Here）コマンドが送られてきた場合には、オーディオモードでの発呼処理を自動的に試みる。そしてこれにより通信が成立したならば、Ｇ３ファクシミリ通信を利用してのデータ送信を試みる。従って、Ｇ３ファクシミリ装置１３，１５に対するデータ送信に際してアプリケーションモードが選択されてしまった場合には、Ｇ３ファクシミリ通信を利用したデータ送信が自動的に行われて、データ送信を完了することが可能である。
【００８２】
そして通信制御装置２１では、Ｇ３ファクシミリ通信を実現するためのファクシミリ伝送データの生成を行う機能を有しているので、第１の実施形態のように別の装置に頼ることなくＧ３ファクシミリ通信を実現できる。つまり通信制御装置２１によれば、別の装置にオフランプ送信を要求することが不可能である環境においてもＧ３ファクシミリ通信を利用した伝送対象データの送信を実現することが可能である。
【００８３】
（第３の実施形態）
図９は第３の実施形態に係る通信制御装置３１の構成とこの通信制御装置３１が含まれる通信システムの構成とを示すブロック図である。なお、図９において図１と同一部分については同一の符号を付し、その詳細な説明は省略する。
【００８４】
図９に示す通信システムは、ゲートウェイ２、インターネットファクシミリ装置３、コンピュータ４、ＬＡＮ５、ＮＧＮ６、ゲートウェイ７、通信制御装置８、インターネットファクシミリ装置９、コンピュータ１０、ＬＡＮ１１、ゲートウェイ１２、Ｇ３ファクシミリ装置１３、アナログ網１４、Ｇ３ファクシミリ装置１５および通信制御装置３１を含む。すなわち図９に示す通信システムは、図１に示した通信システムにおける通信制御装置１に代えて通信制御装置３１を備えたものとなっている。
【００８５】
通信制御装置３１には、ゲートウェイ２、インターネットファクシミリ装置３およびコンピュータ４が、ＬＡＮ５を介して接続されている。通信制御装置３１は、インターネットファクシミリ装置３およびコンピュータ４がＮＧＮ６を介して通信するための処理を行う。
【００８６】
通信制御装置３１は、ＬＡＮインタフェース部１ａ、プロトコル処理部１ｂ、記憶部１ｄ、データ変換部３１ａ、伝送信号生成部３１ｂおよび主制御部３１ｃを含む。そしてこれらの各部は、バス１ｆを介して互いに接続されている。すなわち通信制御装置３１は、第１の実施形態における通信制御装置１におけるデータ変換部１ｃおよび主制御部１ｅに代えてデータ変換部３１ａおよび主制御部３１ｃを備えるとともに、さらに伝送信号生成部３１ｂを追加して構成される。
【００８７】
データ変換部３１ａは、画像データではないデータを画像データに変換する。
【００８８】
伝送信号生成部３１ｂは、伝送対象データ（画像データ）が表す画像の情報を含むとともにＧ３規格に準拠したアナログのファクシミリ伝送信号を生成する。
【００８９】
主制御部３１ｃは、後述するように通信制御装置３１の各部を制御する。
【００９０】
次に通信制御装置３１の動作について説明する。
【００９１】
コンピュータ４またはインターネットファクシミリ装置３が保持している伝送対象データをアプリケーションモードを使用してＮＧＮ６で伝送しようとするとき、その旨の要求がコンピュータ４またはインターネットファクシミリ装置３から通信制御装置３１へ与えられる。そしてこの要求を受けると通信制御装置３１では、主制御部３１ｃが図２に示す処理を第１の実施形態とほぼ同様に実施する。ただし主制御部３１ｃが実行する処理においては、ステップＳａ８におけるＧ３ＦＡＸ送信処理の内容が、第１の実施形態にて主制御部１ｅが実行する処理とは異なっている。
【００９２】
図１０はＧ３ＦＡＸ送信処理における主制御部３１ｃの処理のフローチャートである。
【００９３】
ステップＳｄ１において主制御部３１ｃは、伝送対象データをコンピュータ４またはインターネットファクシミリ装置３から取得する。なお主制御部３１ｃは、ここで取得した伝送対象データを、記憶部１ｄに一時的に記憶しておく。
【００９４】
ステップＳｄ２において主制御部３１ｃは、伝送対象データが画像データであるか否かを確認する。そして主制御部３１ｃは、画像データではないならばステップＳｄ３へ進む。
【００９５】
ステップＳｄ３において主制御部３１ｃは、伝送対象データを画像データに変換するようにデータ変換部３１ａに指示する。この指示に応じてデータ変換部３１ａは、例えばテキストデータをＴＩＦＦ形式の画像データとするように伝送対象データを変換する。
【００９６】
伝送対象データが画像データであった場合、あるいは伝送対象データの画像データへの変換が完了した場合に主制御部３１ｃは、ステップＳｄ２およびステップＳｄ３のいずれかからステップＳｄ４へ進む。
【００９７】
ステップＳｄ４において主制御部３１ｃは、伝送対象データに応じたファクシミリ伝送信号を生成するように伝送信号生成部３１ｂに指示する。この指示に応じて伝送信号生成部３１ｂは、伝送対象データに応じたファクシミリ伝送信号を生成する。なお、ファクシミリ伝送信号は、伝送対象データ（画像データ）が表す画像の情報を含むとともにＧ３規格に準拠したアナログのファクシミリ伝送信号である。また、ここでファクシミリ伝送信号の生成に使用する伝送対象データは、ステップＳｄ２からステップＳｄ４に移行した場合にはステップＳｄ１で取得した伝送対象データであり、ステップＳｄ３からステップＳｄ４に移行した場合にはデータ変換部１ｃによる変換で得られた画像データである。
【００９８】
伝送信号生成部３１ｂは、生成したファクシミリ伝送信号をゲートウェイ２のＴＥＬポートに送る。そうするとゲートウェイ２は、ＰＣＭなどによりディジタル化するみなし音声方式か、あるいはＩＴＵ−Ｔの勧告Ｔ．３８に準拠した方式を使用して、ファクシミリ伝送信号をファクシミリ伝送データに変換する。そしてゲートウェイ２は、既に成立しているオーディオモードを使用したセッションを利用して、相手先に向けてＮＧＮ６へとファクシミリ伝送データを送信する。
【００９９】
以上のように通信制御装置３１によれば、アプリケーションモードでの発呼処理に際してＮＧＮ６から４８８（Not Acceptable Here）コマンドが送られてきた場合には、オーディオモードでの発呼処理を自動的に試みる。そしてこれにより通信が成立したならば、Ｇ３ファクシミリ通信を利用してのデータ送信を試みる。従って、Ｇ３ファクシミリ装置１３，１５に対するデータ送信に際してアプリケーションモードが選択されてしまった場合には、Ｇ３ファクシミリ通信を利用したデータ送信が自動的に行われて、データ送信を完了することが可能である。
【０１００】
そして通信制御装置３１では、Ｇ３ファクシミリ通信を実現するためのファクシミリ伝送信号の生成を行う機能を有しているので、第１の実施形態のように別の装置に頼ることなくＧ３ファクシミリ通信を実現できる。つまり通信制御装置３１によれば、別の装置にオフランプ送信を要求することが不可能である環境においてもＧ３ファクシミリ通信を利用した伝送対象データの送信を実現することが可能である。
【０１０１】
この実施形態は、次のような種々の変形実施が可能である。
【０１０２】
通信制御装置１，２１，３１が備える機能を、インターネットファクシミリ装置やコンピュータに組み込んでも良い。
【０１０３】
通信網は、ＮＧＮとは異なる網であっても良い。
【０１０４】
４８８（Not Acceptable Here）コマンド以外のWarningコマンドのいずれかを受けた場合にも、Ｇ３ＦＡＸ送信処理を行っても良い。
【０１０５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０６】
１，８，２１，３１…通信制御装置、２，７，１２…ゲートウェイ（Ｇ／Ｗ）、３，９…インターネットファクシミリ装置（Ｉ−ＦＡＸ）、４，１０…コンピュータ、５，１１…ＬＡＮ、６…ＮＧＮ、１３，１５…Ｇ３ファクシミリ装置（Ｇ３−ＦＡＸ）、１４…アナログ網、１ａ…ＬＡＮインタフェース部（ＬＡＮ  Ｉ／Ｆ部）、１ｂ…プロトコル処理部、１ｃ，２１ａ，３１ａ…データ変換部、１ｄ…記憶部、１ｅ，２１ｂ，３１ｃ…主制御部、１ｆ…バス、３１ｂ…伝送信号生成部。
【先行技術文献】
【特許文献】
【０１０７】
【特許文献１】特許第３２４７９４４号公報
【図１】
0005389701.tif 000002
【図２】
0005389701.tif 000003
【図３】
0005389701.tif 000004
【図４】
0005389701.tif 000005
【図５】
0005389701.tif 000006
【図６】
0005389701.tif 000007
【図７】
0005389701.tif 000008
【図８】
0005389701.tif 000009
【図９】
0005389701.tif 000010
【図１０】
0005389701.tif 000011